(57)【要約】【課題】施術者が一方の手で超音波プローブを把持しながら、超音波プローブを把持した手の指を用いて手技を行うことを可能とする超音波プローブを提供することを目的とする。【解決手段】超音波プローブ１０は、基台部１１と、ハンドル部１２と、フランジ部１３とを備え、ハンドル部１２は、基台部１１から上方に伸びるとともに、当該ハンドル部１２が施術者の親指及び人差し指で把持される状況において親指側かつ指先側に傾いて形成され、当該ハンドル部１２が施術者の親指及び人差し指で把持される状況において親指及び人差し指の互いの指先が接触可能な外径に形成され、フランジ部１３は、ハンドル部１２が施術者の親指及び人差し指で把持される状況において指の付け根に当接する位置に形成される。【選択図】図４
2019069109.tif 000002
【特許請求の範囲】
【請求項１】
超音波エコー測定のために施術者によって使用される超音波プローブであって、
底面に超音波放射部及び超音波受信部を備えた基台部と、
施術者の片手の親指及び人差し指で把持されるハンドル部と、
前記ハンドル部の上方に設けられるフランジ部と、を備え、
前記ハンドル部は、
前記基台部から上方に伸びるとともに、当該ハンドル部が施術者の親指及び人差し指で把持される状況において親指側かつ指先側に傾いて形成され、
当該ハンドル部が施術者の親指及び人差し指で把持される状況において親指及び人差し指の互いの指先が接触可能な外径に形成され、
前記フランジ部は、前記ハンドル部が施術者の親指及び人差し指で把持される状況において指の付け根に当接する位置に形成される、ことを特徴とする超音波プローブ。
【請求項２】
中央に空間部を有する環状部をさらに備え、
前記環状部は、前記ハンドル部が施術者の親指及び人差し指で把持される状況において、前記空間部に施術者の指先が位置するように前記基台部の指先側に延在する、ことを特徴とする、請求項１に記載の超音波プローブ。
【請求項３】
前記フランジ部には、超音波エコー測定に関する設定を行う設定部が設けられる、ことを特徴とする、請求項１または請求項２に記載の超音波プローブ。
【請求項４】
請求項１乃至請求項３に記載の超音波プローブとともに使用される針型施術具であって、
超音波発信素子を備える、ことを特徴とする針型施術具。
【発明の詳細な説明】
【技術分野】
【０００１】
本発明は、超音波プローブに関する。
【背景技術】
【０００２】
従来から、医師または施術者（以下、単に「施術者」という）により超音波エコー測定のために使用される超音波プローブが知られている（例えば、特許文献１参照）。このような超音波プローブの普及により、施術者は、超音波エコー測定が必要な対象者（以下、単に「対象者」という）の皮膚に超音波プローブを接触させることで超音波エコー測定を行うことができる。
【先行技術文献】
【特許文献】
【０００３】
【特許文献１】特開平０６−２６９４５０号公報
【発明の概要】
【発明が解決しようとする課題】
【０００４】
ところで、施術者によって使用される従来の超音波プローブとしては、超音波を放射する先端面の形状が略直線状に形成されているものが多い。具体的には、図１に示すように、従来の超音波プローブ１では、超音波を放射する先端面２の形状が左右（矢印Ａで示す方向）に伸びた略直線状（略矩形型）に形成されている。このような従来の超音波プローブ１を用いて超音波エコー測定を行う場合、施術者は、図１に示すように、超音波プローブ１の両側面を親指と残りの４指で挟むようにして超音波プローブ１を把持する。そして、図２に示すように、把持した超音波プローブ１の先端面２を対象者の皮膚に接触させ、測定位置に合わせて皮膚に沿って先端面２を移動させる（矢印Ｂ参照）。また同時に、施術者は、超音波エコー測定をより正確に行うために、対象者の皮膚と先端面２との角度を好適に固定する必要がある。このため、施術者は、先端面２の皮膚に対する接触角度を好適に維持すべく、図２に示すように、測定位置に合わせて先端面２を中心に超音波プローブ１を回転（すなわち、超音波プローブ１の傾きを変化）させる（矢印Ｃ参照）。
【０００５】
このように、従来の超音波プローブ１では、超音波エコー測定に際して、施術者は、超音波プローブ１を図２に示す矢印Ｂで示す方向に移動させたり、図２に示す矢印Ｃで示す方向に傾けたりする必要があるため、一方の手は、超音波プローブの移動および固定に専念する必要があった。このため、超音波プローブ１を用いて超音波エコー測定を行いながら、例えば、注射する、穿刺針を挿入する、カテーテルを挿入・操作する、針灸の施術をする等の手技を行う場合には、手技を他方の手のみで行う必要があった。したがって、従来の超音波プローブ１では、超音波プローブ１を操作する方の手を有効に使えるものではなかった。
【０００６】
一方、超音波プローブ１を操作する方の手を有効に使うべく、図３に示すように、従来の超音波プローブ１に注射針や穿刺針のガイド３を取り付けたものも考案されている。しかし、図３に示すようなガイド付きの超音波プローブでは、超音波プローブ１の傾きを変化させると、ガイド３の傾きも変化するため、超音波エコー測定を行いながら注射針や穿刺針の正確な位置合わせを行うことは難しかった。このように、従来の超音波プローブでは、超音波プローブを把持する一方の手の指を用いて手技を行うことは難しかった。
【０００７】
本発明は、このような状況に鑑みてなされたものであり、施術者が一方の手で超音波プローブを把持しながら、超音波プローブを把持した手の指を用いて手技を行うことを可能とする超音波プローブを提供することを目的とする。
【課題を解決するための手段】
【０００８】
上記目的を達成するため、本発明の一態様の超音波プローブは、
超音波エコー測定のために施術者によって使用される超音波プローブであって、
底面に超音波放射部及び超音波受信部を備えた基台部と、
施術者の片手の親指及び人差し指で把持されるハンドル部と、
前記ハンドル部の上方に設けられるフランジ部と、を備え、
前記ハンドル部は、
前記基台部から上方に伸びるとともに、当該ハンドル部が施術者の親指及び人差し指で把持される状況において親指側かつ指先側に傾いて形成され、
当該ハンドル部が施術者の親指及び人差し指で把持される状況において親指及び人差し指の互いの指先が接触可能な外径に形成され、
前記フランジ部は、前記ハンドル部が施術者の親指及び人差し指で把持される状況において指の付け根に当接する位置に形成される、ことを特徴とする。
【発明の効果】
【０００９】
本発明によれば、施術者が一方の手で超音波プローブを把持しながら、超音波プローブを把持した手の指を用いて手技を行うことを可能とする超音波プローブを提供することができる。
【図面の簡単な説明】
【００１０】
【図１】従来の超音波プローブを説明するための図。
【図２】従来の超音波プローブを説明するための図。
【図３】従来のガイド付き超音波プローブを説明するための図。
【図４】本実施形態に係る超音波プローブの左側面図。
【図５】本実施形態に係る超音波プローブの上面図。
【図６】本実施形態に係る超音波プローブの正面図。
【図７】本実施形態に係る超音波プローブの後面図。
【図８】本実施形態に係る超音波プローブを把持したときの底面図。
【図９】本実施形態に係る超音波プローブを把持したときの上面図。
【図１０】針型施術具に超音波発信素子を設ける一例を説明するための図。
【発明を実施するための形態】
【００１１】
以下、本発明の実施形態について図４−図９を参照して説明する。
図４は、本発明の実施形態に係る超音波プローブ１０の左側面図であり、図５は、超音波プローブ１０の上面図であり、図６は、超音波プローブ１０の正面図であり、図７は、超音波プローブ１０の後面図であり、図８は、超音波プローブ１０を施術者が把持したときの底面図であり、図９は、超音波プローブ１０を施術者が把持したときの上面図である。
【００１２】
図４−図７に示すように、本実施形態に係る超音波プローブ１０は、基台部１１と、ハンドル部１２と、フランジ部１３と、環状部１４とから構成される。
【００１３】
基台部１１は、その底面に超音波放射部及び超音波受信部を備える。これにより、基台部１１の底面を対象者の皮膚に接触させることで、超音波エコー測定が可能となる。なお、この超音波放射部及び超音波受信部の基台部１１の底面への形成方法はどのようなものであってもよいが、例えば、ＭＥＭＳ（Ｍｉｃｒｏ  Ｅｌｅｃｔｒｏ  Ｍｅｃｈａｎｉｃａｌ  Ｓｙｓｔｅｍｓ）で形成される。
【００１４】
ハンドル部１２は、基台部１１から上方に伸びて略円柱状に形成される。また、ハンドル部１２は、図４に示すように右方向に傾斜して形成されるとともに手前側（図５に示す上面図における下側、または図６に示す正面図における左側）に傾斜して形成される。
【００１５】
ところで、本実施形態に係る超音波プローブ１０を把持する際には、左手の手のひらを基台部１１の上面に当て、親指及び人差し指でハンドル部１２を包み込むようにして把持する（後述する図９参照）。具体的には、親指及び人差し指の付け根を図４に示すハンドル部１２の左側に当接させ、指先が図４に示すハンドル部１２の右側に位置するように、図４に示すハンドル部１２の手前側（図５に示すハンドル部１２の下側）の面に沿わせて左手の親指を当接させ、図４に示すハンドル部１２の奥側（図５に示すハンドル部１２の上側）の面に沿わせて左手の人差し指を当接させる。
【００１６】
したがって、ハンドル部１２は、施術者の親指及び人差し指で把持される状況において指先側の方向（図４に示す右方向）に傾斜して形成されるとともに親指側の方向（図４に示す手前側の方向、または図５に示す下側の方向）に傾斜して形成される。これにより、施術者がハンドル部１２を親指及び人差し指で把持したときに、超音波プローブ１の操作性と安定性が向上する。具体的には、ハンドル部１２が親指側に傾斜していることにより、ハンドル部１２のグリップ力が増し、ハンドル部１２が指先側に傾斜していることにより、指先の操作性が向上する。なお、指先の操作性については後述する。
【００１７】
また、略円柱状に形成されたハンドル部１２の外径は、親指及び人差し指でハンドル部１２を把持したときに、その指先を自由に動かすことができる程度の長さに設定されている。すなわち、ハンドル部１２の外径は、親指及び人差し指でハンドル部１２を包み込むように把持したときに、親指及び人差し指の互いの指先が接触可能な長さに設定されている。また、前述したように、ハンドル部１２は、指先側に傾斜して形成されている。このため、ハンドル部１２を把持する親指及び人差し指の指先は、対象者の皮膚側（図４の下側）に動かし易く、指先を用いて対象者に対して手技を行うことが容易となる。
【００１８】
フランジ部１３は、ハンドル部１２の上端面において、ハンドル部１２が施術者の親指及び人差し指で把持される状況において親指及び人差し指の付け根に当接する位置（図４に示すハンドル部１２の上端面の左側の位置）に設けられる。これにより、施術者がハンドル部１２を把持したときに、親指及び人差し指がハンドル部１２から抜けることが防止される。
【００１９】
なお、フランジ部１３は、ハンドル部１２の上端面のうち、親指及び人差し指の付け根に当接する位置だけに設けられるものではなく、親指及び人差し指全体にも当接するように、ハンドル部１２の上端面の全面に形成されるものであってもよい。また、フランジ部１３は、ハンドル部１２を親指及び人差し指で把持したときに、これらの指がハンドル部１２から抜けることが防止されるものであればよく、その形状は、どのようなものであってもよい。
【００２０】
環状部１４は、基台部１１の底面と連続して基台部１１の厚みと同程度に形成される。具体的には、図４に示すように、環状部１４は、基台部１１の右側に延在して形成される。これにより、超音波プローブ１０を対象者の皮膚に接触させるときには、超音波を送受信する基台部１１の底面だけではなく、環状部１４の底面も接触するので、超音波プローブ１０の安定性が向上する。なお、図４に示す基台部１１の右側は、超音波プローブ１が施術者の親指及び人差し指で把持される状況において、親指及び人差し指の指先が位置する側である。このため、施術者の親指及び人差し指は環状部１４に位置することになる。ここで、図５に示すように、環状部１４には、空間部１４０が形成されている。このため、施術者の親指及び人差し指の指先は、空間部１４０に位置することになり、施術者は、親指及び人差し指の指先を自由に動かすことが可能となる。
【００２１】
なお、上述した超音波プローブ１０は、不図示の超音波エコー測定装置本体と有線又は無線で接続されている。これにより、超音波プローブ１０により測定された超音波エコーのデータが超音波エコー測定装置本体に送信される。また、超音波エコー測定に関する設定（例えば、エコーの強度、波長の調整等）は、超音波エコー測定装置本体に設けられてもよいが、超音波プローブ１０に設けられる方が好ましい。具体的には、超音波エコー測定に関する設定を行うスイッチやダイヤル等の設定部は、フランジ部１３に設けられるものとしてもよい。このようにすることで、施術者は、超音波エコー測定に際して、手元の超音波プローブ１０を操作することで各種設定を行うことができるので、利便性を向上させることができる。
【００２２】
次に、図８、図９を参照して、超音波プローブ１０の把持方法について説明する。
図８、図９に示すように、施術者は、超音波プローブ１０の基台部１１の上面に左手の手のひらを当て、左手の親指及び人差し指でハンドル部１２を包み込むようにして、超音波プローブ１０を把持する。このとき、前述したように、ハンドル部１２は、左手の親指側かつ指先側に傾いて形成されている。これにより、施術者がハンドル部１２を親指及び人差し指で把持したときに、超音波プローブ１０の操作性と安定性が向上し、超音波プローブ１０の位置合わせ及び傾き（ピッチ方向、ロール方向、ヨー方向）の微調整を行うことが容易となる。また、ハンドル部１２を把持する親指及び人差し指の指先を用いて手技を行うことが容易となる。
【００２３】
なお、前述したように、基台部１１の底面と環状部１４の底面は連続して形成されている（図８参照）。このことによっても、超音波プローブ１０を操作する際において、ピッチ方向の傾きの安定性を向上させることができる。
【００２４】
また、前述したように、ハンドル部１２の外径は、親指及び人差し指でハンドル部１２を包み込むように把持したときに、親指及び人差し指の互いの指先が接触可能な長さに設定されている。このため、図８、図９に示すように、ハンドル部１２を親指及び人差し指で把持したときに、親指及び人差し指の指先は環状部１４の空間部１４０上に位置させることが可能となる。このため、施術者は、親指及び人差し指の指先を自由に動かすことができ、超音波プローブ１０を把持した手の親指及び人差し指を用いて、注射針、穿刺針、カテーテル、針灸用針等の針型施術具のガイド等の手技を行うことが可能となる。また、環状部１４によって、注射針、穿刺針、カテーテル、針灸用針等の他の針型施術具と干渉することがないので、超音波プローブ１０を把持した手を用いた手技をより容易に行うことができる。また、ハンドル部１２は、指先側に傾いて形成されているので、ハンドル部１２を把持する親指及び人差し指の指先は、空間部１４０を介して対象者の皮膚側に動かし易く、指先を用いて対象者に対して手技を行うことが容易となる。
【００２５】
上記したように、本実施形態の超音波プローブ１０によれば、超音波プローブ１０を操作して超音波エコー測定装置本体のモニタを観察しながら、注射針、穿刺針、カテーテル、針灸用針等の針型施術具の位置と、患者の施術部位との相対位置を把握することができ、超音波プローブ１０を把持した手の親指及び人差し指を用いて、針型施術具の位置を正確にガイドし、高い精度の手技を行うことができる。したがって、例えば、静脈に針を入れることが難しい対象者の点滴や、正確かつ安全に目標部位に到達させなくてはならないカテーテル治療、鍼灸の施術など、難易度の高い様々な手技を、比較的容易に行うことが可能となる。以上のように、本実施形態の超音波プローブ１０によれば、施術者が一方の手で超音波プローブ１０を把持しながら、超音波プローブ１０を把持した手の指を用いて手技を行うことが可能となる。
【００２６】
なお、注射針、穿刺針、カテーテル、針灸用針等の針型施術具に超音波発信素子を設け、超音波発信素子からの発信データが超音波エコー測定装置本体に送信されるものとしてもよい。この場合、針型施術具は、超音波を発することで、超音波エコー測定装置本体のモニタにその存在及び位置が明確に表示されるので、難易度の高い様々な手技を、さらに容易に行うことが可能となる。
【００２７】
図１０は、針型施術具に超音波発信素子を設ける一例を示す図である。図１０に示すように、針型施術具の一例である注射器２１には超音波発信素子２０が設けられる。具体的には、超音波発信素子２０は、注射器２１の注射針２２の付け根側（注射筒側）に取り付けられることにより、注射針２２の位置が明確になるとともに超音波発信素子２０に妨げられることなく注射針２２の先端を対象者の皮膚に挿通させることが可能となる。また、超音波発信素子２０を備える注射器２１を本実施形態の超音波プローブ１０とともに用いることで、注射針２２は、環状部１４の空間部１４０を通して対象者の皮膚に挿通させることができる。このため、超音波プローブ１０の操作とともに難易度の高い手技を行うことが可能となる。
【００２８】
以上、本発明の一実施形態について説明したが、本発明は、上述の実施形態に限定されるものではなく、本発明の目的を達成できる範囲での変形、改良等は本発明に含まれるものである。
【００２９】
例えば、上記した実施形態において、超音波プローブ１０は、環状部１４を備えなくてもよい。このようにしても、ハンドル部１２の外径は、親指及び人差し指でハンドル部１２を包み込むように把持したときに、親指及び人差し指の互いの指先が接触可能な長さに設定され、ハンドル部１２は指先側に傾斜しているため、親指及び人差し指の指先を自由に動かして針型施術具のガイド等の手技を行うことができる。このため、超音波プローブ１０を把持した手の親指及び人差し指を用いて、針型施術具のガイド等の手技を容易に行うことが可能となる。
【００３０】
また例えば、上記した実施形態において、超音波プローブ１０は、左手で把持されるものとして説明したが、右手で把持されるものであってもよい。この場合には、ハンドル部１２は、施術者の右手の親指及び人差し指で把持される状況において、右手の指先側の方向かつ親指側の方向に傾斜して形成されるものとすればよい。
【００３１】
また例えば、上記した実施形態において、ハンドル部１２の形状は略円柱状に形成されるものとしたが、これに限るものではない。具体的には、施術者がハンドル部１２を親指及び人差し指で把持したときに、親指及び人差し指の互いの指先が接触可能となるようなハンドル部１２の外径が設定されていればよく、ハンドル部１２の形状は、例えば略六角柱状であってもよい。
【００３２】
また例えば、上記した実施形態において、超音波プローブ１０の各構成要素の材質等については言及しなかったが、どのようなものであってもよく、例えば滑りにくいシリコン樹脂によって形成されるものであってもよい。また、各構成要素の材質は別々であってもよいし、同じであってもよく、これらは個別に形成されてもよいし、一体形成されてもよい。
【００３３】
以上を換言すると、本発明が適用される超音波プローブは、次のような構成を有する各種各様の実施形態を取ることができる。
即ち、本発明が適用される超音波プローブ（例えば、超音波プローブ１０）は、
超音波エコー測定のために施術者によって使用される超音波プローブであって、
底面に超音波放射部及び超音波受信部を備えた基台部（例えば、基台部１１）と、
施術者の片手の親指及び人差し指で把持されるハンドル部（例えば、ハンドル部１２）と、
前記ハンドル部の上方に設けられるフランジ部（例えば、フランジ部１３）と、を備え、
前記ハンドル部は、
前記基台部から上方に伸びるとともに、当該ハンドル部が施術者の親指及び人差し指で把持される状況において親指側かつ指先側に傾いて形成され、
当該ハンドル部が施術者の親指及び人差し指で把持される状況において親指及び人差し指の互いの指先が接触可能な外径に形成され、
前記フランジ部は、前記ハンドル部が施術者の親指及び人差し指で把持される状況において指の付け根に当接する位置に形成される、ものであれば足りる。
これによれば、超音波プローブの操作性を向上させるとともに、超音波プローブを把持した手の指先を用いて手技を行うことが可能となる。
【００３４】
また、本発明が適用される超音波プローブは、以下のような構成をさらに備えるものであってもよい。
即ち、中央に空間部（例えば、空間部１４０）を有する環状部（例えば、環状部１４）をさらに備え、
前記環状部は、前記ハンドル部が施術者の親指及び人差し指で把持される状況において、前記空間部に施術者の指先が位置するように前記基台部の指先側に延在する、ものであってもよい。
これによれば、環状部によって超音波プローブの安定性を向上させるとともに、環状部の空間部によって超音波プローブを把持した手の指先を用いて手技を行うことが可能となる。
【００３５】
また、本発明が適用される超音波プローブは、以下のような構成をさらに備えるものであってもよい。
即ち、前記フランジ部には、超音波エコー測定に関する設定を行う設定部が設けられる、ものであってもよい。
これによれば、手元の超音波プローブに設定部が設けられるので、超音波エコー測定の利便性を向上させることができる。
【００３６】
また、本発明が適用される超音波プローブとともに使用される針型施術具は、超音波発信素子を備えるものであってもよい。
これによれば、針型施術具の存在位置を明確に把握することができるので、超音波プローブを把持しながら、針型施術具を用いた手技として難易度の高い手技を行うことが容易となる。
なお、上記した超音波発信素子を備える針型施術具は、本発明が適用される超音波プローブに限らず、他の超音波プローブとともに使用されるものであってもよいし、単独で使用されるものであってもよい。例えば、上記した超音波発信素子を備える針型施術具を他の超音波プローブ（例えば、従来の超音波プローブ）とともに用いたとしても、針型施術具の存在位置を明確に把握できるので、従来よりも針型施術具の操作を容易に行うことができる。
【符号の説明】
【００３７】
１・・・従来の超音波プローブ、２・・・先端面、３・・・ガイド、１０・・・超音波プローブ、１１・・・基台部、１２・・・ハンドル部、１３・・・フランジ部、１４・・・環状部、１４０・・・空間部、２０・・・超音波発信素子、２１・・・注射器、２２・・・注射針
【図１】
2019069109.tif 000003
【図２】
2019069109.tif 000004
【図３】
2019069109.tif 000005
【図４】
2019069109.tif 000006
【図５】
2019069109.tif 000007
【図６】
2019069109.tif 000008
【図７】
2019069109.tif 000009
【図８】
2019069109.tif 000010
【図９】
2019069109.tif 000011
【図１０】
2019069109.tif 000012